(57)【要約】【課題】エアーカーテンを介して商品室４２側から室内側に漏れる冷熱量を抑制する。【解決手段】オープンショーケース本体４０が設置されている室内のエアコンにおける室内機５０からの空調用冷気を、商品室４２に導くエアコン冷気導入ダクト５１を設けて、冷気、エアーカーテン、及び当該空調用冷気が層をなして商品室４２を流動するようにし、これにより商品室４２側から室内側への冷熱の流出を抑制する。【選択図】      図２
2004298309.tif 000002
【特許請求の範囲】
【請求項１】
本体内に形成された商品室の開口を、冷気吹出口から冷気吸込口へ流れる冷気で塞ぐように構成されたオープンショーケースにおいて、
前記冷気吹出口より外側に形成したエアコン用冷気吹出口を備え、このエアコン用冷気吹出口に室内に配置されたエアコンからの冷気を導くためのダクトを設けたことを特徴とするオープンショーケース。
【請求項２】
前記冷気吹出口及び冷気吸込口は前記商品室側と外側とに複数形成されており、前記商品室側の冷気吹出口から吹出され商品室側の冷気吸込口へと吸込まれる冷気は、前記本体内に配置された蒸発器を通過するように構成され、前記外側の冷気吹出口から吹出され外側の冷気吸込口へと吸込まれる冷気は、前記蒸発器を通過しないように構成されていることを特徴とする請求項１に記載のオープンショーケース。
【請求項３】
前記エアコン用冷気吹出口の近辺には前記ダクトを取付けるための取付部を設けたことを特徴とする請求項１又は２に記載のオープンショーケース。
【請求項４】
前記冷気吸込口より外側に形成したエアコン用冷気吸込口を備え、このエアコン用冷気吸込口から冷気を吸込むための送風機を備えたことを特徴とする請求項１乃至３の何れかに記載のオープンショーケース。
【発明の詳細な説明】
【０００１】
【発明の属する技術分野】
本発明は、商品室からの冷熱流出を抑制して省エネを図ったオープンショーケースに関する。
【０００２】
【従来の技術】
今日、コンビニエンスストアー等においてオープンショーケースを利用して商品の冷却販売が一般的に行なわれている。
【０００３】
このようなオープンショーケースは、店舗等の室内に配設されて商品等を冷却して陳列する商品室を備えた室内ユニットと、室外側に設置されて室内ユニットと冷媒配管により接続された室外ユニットとを備えて、室外ユニットには、アキュムレータ、圧縮機、オイルセパレータ、放熱器、レシーバタンク等が設けられ、室内ユニットには膨張弁、蒸発器等が設けられている。
【０００４】
そして、圧縮機で圧縮された冷媒は、放熱器で放熱して液状化する。このとき、圧縮機の摺動部を潤滑するために潤滑油が用いられているが、この潤滑油が冷媒と共に当該圧縮機から吐出されるので、オイルセパレータにより潤滑油を分離して圧縮機に戻している。
【０００５】
放熱器で放熱して液状化した冷媒は、レシーバタンクに貯留され、当該レシーバタンクから室内ユニットに供給される。
【０００６】
室内ユニットでは、膨張弁により冷媒を膨張させ、蒸発器で蒸発させることにより冷熱を発生して、商品等の冷却を行う。
【０００７】
その後、冷媒は室外ユニットに戻り、アキュムレータで気液分離されて、気体の冷媒のみが圧縮機に戻る。
【０００８】
図６は、室内に設置されたオープンショーケースの様子を示す図で、複数の陳列棚１２０が設けられた商品室１１１、該商品室１１１を取囲むように形成された冷却用ダクト１１２及びエアーカーテン用ダクト１１３、冷却用ダクト１１２に設けられた蒸発器１１４、冷却用ダクト１１２及びエアーカーテン用ダクト１１３に設けられて、これら冷却用ダクト１１２及びエアーカーテン用ダクト１１３を介して商品室１１１に空気を循環させる循環用送風機１１５等を備えている（特許文献１参照）。
【０００９】
なお、図７において実線矢印は冷気の流れを示し、点線矢印はエアーカーテンをなす空気の流れを示している。
【００１０】
商品室１１１の天井には、冷気吹出口１１６及びエアーカーテン吹出口１１７が平行に設けられ、また商品室１１１の下端前面側には冷気吸込口１１８及びエアーカーテン吸込口１１９が平行に設けられている。
【００１１】
そして、室外ユニットからの冷媒は、図示しない膨張弁により膨張されて蒸発器１１４で蒸発する。
【００１２】
このような状態で循環用送風機１１５が回転すると、商品室１１１の空気が冷気吸込口１１８及びエアーカーテン吸込口１１９から吸気され、冷気吸込口１１８からの空気は冷却用ダクト１１２を流動して蒸発器１１４で冷媒と熱交換することで冷却されて天井の冷気吹出口１１６から商品室１１１へと吹出される。これにより商品の冷却が行われる。
【００１３】
一方、エアーカーテン吸込口１１９から吸気された空気は、そのままエアーカーテン用ダクト１１３を流動してエアーカーテン吹出口１１７から商品室１１１に吹出される。
【００１４】
そして、このエアーカーテン吸込口１１９から吸気された空気は、冷気が商品室１１１から漏れでないようにしている。
【００１５】
【特許文献１】
特開２００１−２８０７８２号公報
【００１６】
【発明が解決しようとする課題】
しかしながら、上述したようにオープンショーケースでは、冷気が商品室１１１から漏れ出るのを抑制するためにエアーカーテンを用いているが、以下の理由から冷熱損失が大きい問題があった。
【００１７】
即ち、エアーカーテンをなす空気は商品室１１１を流動する際に冷気により冷却されるが、当該エアーカーテンは室内空気とも接するため、冷気により冷却された冷熱が室外に漏れてしまい、大きな冷熱損失が生じてしまう。
【００１８】
この冷熱損失が大きくなると、それだけ冷熱を多く発生しなければ商品を所望の温度に冷却することができなくなるため、電力消費が多くなってしまう。
【００１９】
そこで、本発明は、エアーカーテンを介して室内に漏れる冷熱量を抑制して、消費電力の増大を抑えることができるようにしたオープンショーケースを提供することを目的とする。
【００２０】
【課題を解決するための手段】
上記課題を解決するため、請求項１にかかる発明は、本体内に形成された商品室の開口を、冷気吹出口から冷気吸込口へ流れる冷気で塞ぐように構成されたオープンショーケースにおいて、冷気吹出口より外側に形成したエアコン用冷気吹出口を備え、このエアコン用冷気吹出口に室内に配置されたエアコンからの冷気を導くためのダクトを設けて、エアーカーテンを介して室内に漏れる冷熱量を抑制して、消費電力の増大を抑えることができるようにしたことを特徴とする。
【００２１】
請求項２にかかる発明は、冷気吹出口及び冷気吸込口は商品室側と外側とに複数形成されており、商品室側の冷気吹出口から吹出され商品室側の冷気吸込口へと吸込まれる冷気は、本体内に配置された蒸発器を通過するように構成され、外側の冷気吹出口から吹出され外側の冷気吸込口へと吸込まれる冷気は、蒸発器を通過しないように構成されていることを特徴とする。
【００２２】
請求項３にかかる発明は、エアコン用冷気吹出口の近辺にはダクトを取付けるための取付部を設けたことを特徴とする。
【００２３】
請求項４にかかる発明は、冷気吸込口より外側に形成したエアコン用冷気吸込口を備え、このエアコン用冷気吸込口から冷気を吸込むための送風機を備えたことを特徴とする。
【００２４】
【発明の実施の形態】
本発明の実施の形態を図を参照して説明する。図１は本発明にかかるオープンショーケースに用いられる冷凍回路の概略構成を示す図で、当該冷凍回路１は圧縮機４や凝縮器５等を備えて室外等に配設される室外ユニット２と、膨張弁６や蒸発器７等を備えて室内等に配設される室内ユニット３とを主要構成として、商品等は室内ユニット３に設けられたオープンショーケース本体に収納されるようになっている。
【００２５】
図２及び図３は、室内に設置されたオープンショーケース本体４０の概略構成を示す図で、図２は側断面を示す図であり、図３は正面を示す図である。
【００２６】
当該オープンショーケース本体４０は、複数の陳列棚４１が設けられた商品室４２、該商品室４２を取囲むように形成された冷却用ダクト４３及びエアーカーテン用ダクト４４、冷却用ダクト４３に設けられた蒸発器７、冷却用ダクト４３及びエアーカーテン用ダクト４４に設けられて、これら冷却用ダクト４３及びエアーカーテン用ダクト４４を介して商品室４２に空気を循環させる循環用送風機４５等を備えている。
【００２７】
そして、商品室４２の天井には、冷気吹出口４６及びエアーカーテン吹出口４７が平行に設けられ、また商品室４２の下端前面側には冷気吸込口４８及びエアーカーテン吸込口４９が平行に設けられている。
【００２８】
また、当該オープンショーケース本体４０には室内において用いられているエアコンにおける室内機５０からの冷気を導くエアコン冷気導入ダクト５１、該エアコン冷気導入ダクト５１からの冷気が吹出されるエアコン用冷気吹出口５２が冷気吹出口４６及びエアーカーテン吹出口４７と平行に設けられ、また商品室４２の下端前面側にはこの空調冷気を吸込む空調冷気吸込口５３が、冷気吸込口４８及やエアーカーテン吸込口４９と平行に設けられている。
【００２９】
さらに、空調冷気吸込口５３に連通する風路５４には、エアコン冷気用送風機５５が設けられ、その下流側に空調冷気吐出口５６が設けられている。
【００３０】
なお、図２に示すエアコンにおける室内機５０は、壁掛型を示しているが、天井埋込型であってもよい。以下の説明では、壁掛型の室内機５０を例に説明する。
【００３１】
エアコン冷気導入ダクト５１は、ダクト本体６１と、その両端に設けられた取付具６２を備え、当該取付具６２が室内機吹出口６３及びオープンショーケース本体４０のエアコン用冷気吹出口５２と係合等して固定されるようになっている。
【００３２】
この取付具６２は、図示しない係合爪や引掛片等を備えて、室内機５０の吹出口やオープンショーケース本体４０のエアコン用冷気吹出口５２と係合した際に、ダクト本体６１の重み等により取付具６２が室内機吹出口６３等から外れないようになっている。
【００３３】
無論、このような取付具６２として、例えばガムテープのような簡易的な固着手段を用いることも可能である。
【００３４】
なお、図３に示すように、室内機吹出口６３に装着される取付具６２は、当該室内機吹出口６３の全体を覆うように設けられているが、図４に示すように、当該室内機５０の吹出口の一部（中央、左右を問わない）を覆うように設けてもよい。
【００３５】
一方、室外ユニット２における圧縮機４で圧縮された冷媒は、凝縮器５で凝縮して液化する。液化された冷媒は、冷媒配管により室内ユニット３に送られ、膨張弁６で膨張されて蒸発器７で蒸発することにより冷熱を発生する。その後冷媒は冷媒配管により室外ユニット２に戻り圧縮機４で圧縮される。
【００３６】
図３は室外ユニット２の回路図で、当該室外ユニット２は、ストレーナ１１、アキュムレータ１２、圧縮機４、オイルセパレータ１３、凝縮器５、レシーバタンク１４、フィルタドライヤ１５等を備えて、冷媒はこの順序に循環する。
【００３７】
また、室外ユニット２は、冷媒注入装置２０を備えて、レシーバタンク１４に貯留されている液化冷媒の一部を圧縮機４に注入できるようになっている。
【００３８】
ストレーナ１１は、室内ユニット３から室外ユニット２に戻った冷媒に含まれる不純物（摩耗粉等のゴミ）を除去するものである。アキュムレータ１２は、ストレーナ１１からの冷媒を気液分離して、圧縮機４で液圧縮が起きないように、気体の冷媒のみを当該圧縮機４に供給できるようにするものである。
【００３９】
圧縮機４は、図示しない圧縮室やモータを備えて、当該モータの動力により圧縮室の空間容積を拡大してアキュムレータ１２から供給される気体の冷媒を吸気し、その後当該圧縮室の空間容積を縮小して冷媒を圧縮するものである。
【００４０】
この圧縮機４には、ケース内の圧力を検出する高圧センサ２１、低圧センサ２２及び高圧圧力計２３が設けられると共に、高圧センサ２１や低圧センサ２２に制御回路２４が接続されている。
【００４１】
そして、制御回路２４は低圧センサ２２からの信号に基づき当該圧縮機４の運転停止の制御を行い、また高圧センサ２１からの信号が所定レベルを超えたときに圧縮機４を強制停止させて予め設定された異常圧力以上にならないようにしている。このときの圧力は、高圧圧力計２３により視認可能になっている。
【００４２】
オイルセパレータ１３は、圧縮機４内における各種の摺動部（例えば、モータの回転軸や圧縮室を形成する複数の部材間の当接部）を潤滑した潤滑油のうち冷媒と共に吐出された潤滑油を分離するもので、分離された潤滑油は潤滑油戻管２５を介して圧縮機４に戻るようになっている。
【００４３】
凝縮器５は、圧縮されて高温高圧になった冷媒と外気とを熱交換させて、当該冷媒を凝縮させるもので、外気は送風機２６により送風されている。
【００４４】
レシーバタンク１４は、凝縮器５で液化した冷媒を貯留するもので、室内ユニット３側での熱負荷の変動に対して過不足無く冷媒が供給できるようにしている。
【００４５】
このレシーバタンク１４には、可溶栓２７が設けられて、例えば室外ユニット２を収納する家屋が火災を起したような場合に、その熱で冷凍回路１中の冷媒が加熱されて破裂しないように、所定の温度（可溶栓２７の融点）になると溶融して冷凍回路１内の冷媒を大気に放出することで破裂を防止している。
【００４６】
フィルタドライヤ１５は、冷媒に水分が含まれていると室内ユニット３における蒸発器７で蒸発した際に、この水分が凍り、冷媒回路を詰らせたりしないように、当該水分を除去するものあり、モイスチャーインジケータ２８は循環する冷媒を視認するため等に用いられるものである。
【００４７】
また、冷媒注入装置２０は、抽出管２９、ストレーナ３０、サーモバルブ３１、キャピラリーチューブ３２、感温筒３４、注入制御弁３７等を有して、先に述べたようにレシーバタンク１４に貯留されている液化冷媒の一部を圧縮機４に注入している。
【００４８】
抽出管２９は、レシーバタンク１４に接続されて、当該レシーバタンク１４に貯留されている液化した冷媒を抽出するものであり、ストレーナ３０は抽出した冷媒に含まれるゴミを除去するものである。
【００４９】
感温筒３４は、圧縮機４の吐出管３８に密着して取付けられて、吐出冷媒の温度により体積膨張することにより温度を検出するものであり、サーモバルブ３１は感温筒３４の温度検出結果により弁の開度が制御されて圧縮機４に注入する冷媒量を制御するためのものである。
【００５０】
キャピラリーチューブ３２は、圧縮機４の起動時等におけるように感温筒３４によるサーモバルブ３１の制御の遅れを補う目的で、サーモバルブ３１に並列に接続されたものである。
【００５１】
このような構成で、室外ユニット２から圧縮され、凝縮した冷媒が室内ユニット３の膨張弁６に供給され、当該膨張弁６で膨張して蒸発器７に供給される。
【００５２】
そして、この蒸発器７には循環用送風機４５により冷気吸込口４８から吸込された商品室４２の空気が送風され、当該蒸発器７で冷却されて冷気となり冷却用ダクト４３を介して商品室４２に循環して、商品室４２の商品等が冷却される。
【００５３】
循環用送風機４５が回転すると、エアーカーテン吸込口４９からも空気が吸気され、この空気はエアーカーテン用ダクト４４を介して商品室４２に送風されて、冷気が室内側に漏れ出ないようにしている。
【００５４】
このとき、例えば商品室４２の温度を５℃、室内の室温を２０℃とすると、エアーカーテンの温度はこの中間温度となり、当該エアーカーテンにより冷気の漏れが抑制できても、多量の冷熱が室内に流出する。
【００５５】
そこで、エアコン冷気用送風機５５を回転させることにより、エアコンの室内機５０から吹出されている空調冷気をエアコン冷気導入ダクト５１を介してエアコン用冷気吹出口５２から商品室４２、該商品室４２から空調冷気吐出口５６を経て室内に吹出すように流動させる。
【００５６】
これにより冷気、エアーカーテン、空調冷気が３層をなして流動し、空調用冷気は室内の室温より低いため、エアーカーテンでの温度勾配が地位ｓかうなって商品室４２側から室内側への冷熱の流出が抑制できるようになる。
【００５７】
【発明の効果】
以上説明したように、本発明によれば、冷気吹出口より外側に形成したエアコン用冷気吹出口を備え、このエアコン用冷気吹出口に室内に配置されたエアコンからの冷気を導くためのダクトを設けたので、エアーカーテンを介して室内に漏れる冷熱量を抑制して、消費電力の増大を抑えることができるようになる。
【図面の簡単な説明】
【図１】本発明の実施の形態の説明に適用される冷凍装置の概略構成図である。
【図２】オープンショーケース本体の側断面を示す図である。
【図３】オープンショーケース本体の正面の図である。
【図４】図３に代る構成のオープンショーケース本体の正面の図である。
【図５】室外ユニットの詳細構成を示す図である。
【図６】従来の技術の説明に適用されるオープンショーケース本体の側断面を示す図である。
【符号の説明】
１  冷凍回路
２  室外ユニット
３  室内ユニット
７  蒸発器
４０  オープンショーケース本体
４１  陳列棚
４２  商品室
４３  冷却用ダクト
４４  エアーカーテン用ダクト
４５  循環用送風機
４６  冷気吹出口
４７  エアーカーテン吹出口
４８  冷気吸込口
４９  エアーカーテン吸込口
５０  室内機
５１  エアコン冷気導入ダクト
５２  エアコン用冷気吹出口
５３  空調冷気吸込口
５５  エアコン冷気用送風機
５６  空調冷気吐出口
６１  ダクト本体
６２  取付具
６３  室内機吹出口
【図１】
2004298309.tif 000003
【図２】
2004298309.tif 000004
【図３】
2004298309.tif 000005
【図４】
2004298309.tif 000006
【図５】
2004298309.tif 000007
【図６】
2004298309.tif 000008